(57)【要約】【課題】  リモコンによって文字やデータの入力操作を行う機能を充足しつつその構成を簡易なものとし、そのコストを低減する。【解決手段】  リモコン１００側の操作受付け部１０１から仮名入力したデータを表わすコードが送信回路１０３から赤外光信号としてデジタルテレビ２００側の受信回路２０１に伝達され、本体側マイクロプロセッサ２０２で漢字表記に変換する等の対応データに変換され、送信回路２０３から赤外光の信号として受信回路１０４を通してリモコン１００側に戻され、見掛け上、専らリモコン１００側のみで手元の表示装置１０５を見ながら仮名漢字変換操作を行ったように機能する。【選択図】  図１
2006197066.tif 000002
【特許請求の範囲】
【請求項１】
使用者による操作に応じたデータを送信し該送信に対応するデータを受信して表示する操作表示装置と、前記操作表示装置から送信されるデータを受信し該データと所定の対応関係を有する対応データを生成して当該操作表示装置に送信する応答処理装置と、を含んで構成された操作応答システムであって、
前記操作表示装置は、使用者による操作を受け付ける操作受付け部と、前記操作受付け部に対する操作に対応する送信データを生成する送信データ生成部と、前記送信データ生成部によって生成された送信データを外部に送信する送信部と、前記送信部から送信された送信データと所定の対応関係を有する対応データを受信可能な受信部と、前記受信部で受信された対応データに基づく表示を行う表示部と、を備えて構成され、
前記応答処理装置は、前記操作表示装置から送信された送信データを受信する受信部と、前記受信部で受信されたデータと所定の対応関係を有する対応データを生成する対応データ生成部と、前記対応データ生成部で生成された対応データを前記操作表示装置に送信する送信部と、を備えて構成されていることを特徴とする操作応答システム。
【請求項２】
使用者による操作を受け付ける操作受付け部と、前記操作受付け部に対する操作に対応する送信データを生成する送信データ生成部と、前記送信データ生成部によって生成された送信データを外部に送信する送信部と、前記送信部から送信された送信データと所定の対応関係を有する対応データを受信可能な受信部と、前記受信部で受信された対応データに基づいて当該使用者に視認可能な表示を行う表示部と、を備えたことを特徴とする操作表示装置。
【請求項３】
対応する操作表示装置から送信された送信データを受信する受信部と、前記受信部で受信されたデータと所定の対応関係を有する対応データを生成する対応データ生成部と、前記対応データ生成部で生成された対応データを当該操作表示装置に送信する送信部と、を備えたことを特徴とする応答処理装置。
【請求項４】
前記操作受付け部は、仮名入力キーとして機能し得る複数のキーを備えていることを特徴とする請求項２に記載の操作表示装置。
【請求項５】
前記操作受付け部は、入力する文字の文字種を選択するための文字種選択手段を備えていることを特徴とする請求項２に記載の操作表示装置。
【請求項６】
前記操作受付け部は、仮名漢字変換キーとして機能し得る特定のキーを備えていることを特徴とする請求項２に記載の操作表示装置。
【請求項７】
前記表示部は、前記受信部で受信された当該対応データとしてのビットマップデータを表示するように構成されていることを特徴とする請求項２に記載の操作表示装置。
【請求項８】
前記送信部は、前記操作受付け部に配された操作キーへの操作に対応するパターンを表すパターンコードを送信し、前記受信部は該送信されたパターンコードに対応した当該対応データを受信し、前記表示部は該受信された当該対応データとしてのビットマップデータを表示するように構成されていることを特徴とする請求項２に記載の操作表示装置。
【請求項９】
前記送信部は、前記操作受付け部に配された操作キーへの操作に対応するパターンを表すパターンコードを送信し、前記受信部は該送信されたパターンコードに対応した当該対応データを受信し、前記表示部は受信された当該対応データとしてのビットマップデータ及び属性データに対応する表示を行うように構成されていることを特徴とする請求項２に記載の操作表示装置。
【請求項１０】
前記対応データ生成部は、前記受信部で受信されたパターンコードをビットマップデータに変換することによって当該対応データを生成するように構成された機能部を備えていることを特徴とする請求項３に記載の応答処理装置。
【請求項１１】
前記対応データ生成部は、前記受信部で受信された文字パターンコードを該文字パターンコードに対応するビットマップデータに変換し且つ対応する属性を表す属性データを付加することによって当該対応データを生成するように構成された機能部を備えていることを特徴とする請求項３に記載の応答処理装置。
【請求項１２】
前記対応データ生成部は、前記受信部で対応する操作表示装置の送信部から発せられた仮名漢字変換を指示する仮名漢字変換指示コードが受信されたときには該当する属性データによって規定される文字列に関する仮名漢字変換を実行するように構成されていることを特徴とする請求項３に記載の応答処理装置。
【請求項１３】
前記操作表示装置は、前記操作受付け部に対する操作に応答して前記応答処理装置としてのテレビジョン受像機を制御するための制御信号を生成して前記送信部から当該テレビジョン受像機に投射する制御部を更に備えたリモートコントローラとして構成され、
前記応答処理装置は、前記リモートコントローラの送信部から投射される制御信号を自己の受信部で受信し、該受信された制御信号に応答して動作する被制御部を備えたテレビジョン受像機として構成されている
ことを特徴とする請求項１に記載の操作応答システム。
【請求項１４】
自己の前記操作受付け部に対する操作に応答して前記応答処理装置としてのテレビジョン受像機を制御するための制御信号を生成して前記送信部から当該テレビジョン受像機に投射する制御部を更に備えたリモートコントローラとして構成されていることを特徴とする請求項２に記載の操作表示装置。
【請求項１５】
前記操作表示装置としてのリモートコントローラの送信部から投射される制御信号を自己の受信部で受信し、該受信された制御信号に応答して動作する被制御部を備えたテレビジョン受像機として構成されていることを特徴とする請求項３に記載の応答処理装置。
【発明の詳細な説明】
【技術分野】
【０００１】
本発明は、使用者による操作に応じたデータを送信し該送信に対応するデータを受信して表示する操作表示装置と、前記操作表示装置から送信されるデータを受信し該データと所定の対応関係を有する対応データを生成して当該操作表示装置に送信する応答処理装置と、を含んで構成された操作応答システム及び操作表示装置並びに応答処理装置に関するものであり、その一例としては、操作表示装置としての表示器付きリモートコントローラ（以下、リモコン）と該リモコンに対応した応答処理装置としてのテレビジョン受像機、或いはＤＶＤレコーダ等がこれに該当する。
【背景技術】
【０００２】
近年、デジタルテレビやＤＶＤレコーダ等などのデジタル機器では機器本体に日本語入力機能を搭載したものが普及しつつある。これらのデジタル機器においては、ユーザは該当するデジタル機器本体（ＤＶＤレコーダの場合はこれに接続されたテレビ又はモニタ）の画面上を視認しつつ、手許でリモコンの操作キーやダイヤル等を操作して日本語入力操作行なうのが一般的である。
【０００３】
しかしこの方法ではリモコンの操作ボタンと機器本体の画面との間でユーザの視線が頻繁に移動し入力効率が低く、ユーザは煩雑さに耐えない。また近年、機器本体側ではなくリモコン側に日本語入力機能を搭載する製品も登場している。このような製品ではリモコンに表示器が備えられ、ユーザはこの表示器を見ながらその操作部を操作して日本語入力操作をすべて行なうため、本体機器の併用を俟たずにリモートコントローラ上で一切の入力操作を行うことができ入力効率は高い。
【０００４】
しかしながら、後者の製品では、日本語入力機能部を構成する部品の増加によってリモコンのコストが上昇する。本体機器に比較して落下などによる破損確率の高いリモコン側が高額なものとなってしまうことはユーザにとって補修乃至交換時の費用負担が過度に重くなってしまうといった問題がある。更に、リモコンが分担する機能が益々増大してしまうため、大型化が避けられず、かなり長大なリモコンも現存するが、置き場所を選び手軽さが減殺されてしまう。
【０００５】
リモコンのような可搬型の小型機器における操作部から多くの文字を比較的手軽に入力できるようにするための技術は種々提案されている。例えば、携帯電話機の機能がパソコンに迫るものとなり、また、デジタルテレビのリモコンには複雑な入力機能が求められている点に鑑み、日本語入力に関し、第１打をＹ軸、第２打をＸ軸というように対応付け、第１打及び第２打を夫々１１種類の操作キーで行い１１×１１＝１２１箇所に文字等を割り当て、少ない打鍵数で多くの文字を入力できるようにした、携帯電話機乃至デジタルテレビのリモコン装置が開示されている（特許文献１）。
【０００６】
他方、リモコン側にタッチパネルを設け、手書き入力の認識、テキストへの変換、仮名漢字変換を全て賄ってしまい、変換した結果をテレビ受像機本体側に送信するように構成し、またテレビ受像機をネットワークインターフェースを介してネットワークに接続し、テレビ受像機本体側で受信した電子メールをリモコン側のタッチパネルで閲覧するようにしてプライバシーの保護も図るようにしたテレビ受信機及びリモコン装置が提案されている（特許文献２）。
【特許文献１】特開２００２−１６３０６６号公報（段落００７７、図１）
【特許文献２】特開２００４−１５３３７５号公報（段落００２３、図１）
【発明の開示】
【発明が解決しようとする課題】
【０００７】
上述した従来の技術は、何れも、リモコンの機能を向上させるものではあるが、文字やデータの入力操作を行うための高機能な操作表示装置としての機能を維持しつつその構成を簡易なものとし、操作表示装置（リモコン）のコストを低減したいという要請に応えるものではない。例えば、特許文献１に提案の技術では、専ら、入力キーの構成を改良して入力操作を簡便なものにしようとする観点から提案されているのみであり、リモコン側で賄う情報処理の負担を軽減して回路構成を簡素化し、ひいてはリモコン自体のコストダウンを図ろうとする思想は皆無である。
【０００８】
一方、特許文献２に提案の技術は、リモコン側で賄う処理機能を寧ろ拡大し、リモコン側が相応の複雑な構成となることを厭わずに高機能化と利便性の向上を図るといった趣旨の提案である。
本発明は上述のような状況に鑑みてなされたものであり、表示器を備えたリモコンをその一例とする操作表示装置の高機能化を図りつつ、対応する応答処理装置との連携動作を行い得るようにすることにより構成を簡素化して操作表示装置自体のコストダウンを図った操作表示装置及びこれに対応する応答処理装置並びにこれらを含んで構成される応答システムを提供しようとするものである。
【課題を解決するための手段】
【０００９】
上記課題を解決するべく、本願では次に列記するような技術を提案する。
（１）使用者による操作に応じたデータを送信し該送信に対応するデータを受信して表示する操作表示装置と、前記操作表示装置から送信されるデータを受信し該データと所定の対応関係を有する対応データを生成して当該操作表示装置に送信する応答処理装置と、を含んで構成された操作応答システムであって、
前記操作表示装置は、使用者による操作を受け付ける操作受付け部と、前記操作受付け部に対する操作に対応する送信データを生成する送信データ生成部と、前記送信データ生成部によって生成された送信データを外部に送信する送信部と、前記送信部から送信された送信データと所定の対応関係を有する対応データを受信可能な受信部と、前記受信部で受信された対応データに基づく表示を行う表示部と、を備えて構成され、
前記応答処理装置は、前記操作表示装置から送信された送信データを受信する受信部と、前記受信部で受信されたデータと所定の対応関係を有する対応データを生成する対応データ生成部と、前記対応データ生成部で生成された対応データを前記操作表示装置に送信する送信部と、を備えて構成されていることを特徴とする操作応答システム。
【００１０】
上記（１）の操作応答システムによれば、操作表示装置側で使用者が操作受付け部に対して種々行った操作に対応した送信データが送信データ生成部で生成され送信部を通して外部に送信される。応答処理装置側ではこの外部に送信された送信データを受信部で受信し、この受信されたデータに対応する対応データを対応データ生成部で生成する。上記における送信データの一例は仮名入力データであり、対応データの一例は仮名入力データが仮名漢字変換された漢字データであり得る。生成された対応データは送信部から当該操作表示装置に送信（返信）されて操作表示装置側の表示部で表示される。上述の例の場合では仮名漢字変換された漢字を含む文字列が表示されるようになる。
【００１１】
操作表示装置側では、見掛け上は、手元で行った操作に対応して所定の対応関係にある対応データが操作表示装置内で生成されて表示されるのと同等の機能が営まれ、一方実質的な処理は応答処理装置側で分担されるため、操作表示装置側での負担を増大させて大嵩な構成にすることを回避しつつ、実用上の機能を大幅に拡大させることができる。
【００１２】
（２）使用者による操作を受け付ける操作受付け部と、前記操作受付け部に対する操作に対応する送信データを生成する送信データ生成部と、前記送信データ生成部によって生成された送信データを外部に送信する送信部と、前記送信部から送信された送信データと所定の対応関係を有する対応データを受信可能な受信部と、前記受信部で受信された対応データに基づいて当該使用者に視認可能な表示を行う表示部と、を備えたことを特徴とする操作表示装置。
【００１３】
上記（２）の操作表示装置によれば、見掛け上は、手元で行った操作に対応して所定の対応関係にある対応データが自己の内部での処理によって生成されて表示されるのと同等の機能が営まれ、他方、対応データを得るための実質的な処理は自己の外部の装置側で分担されるため、自己の側での負担を増大させて大嵩な構成にすることを回避しつつ、実用上の機能を大幅に拡大させることができる。
【００１４】
（３）対応する操作表示装置から送信された送信データを受信する受信部と、前記受信部で受信されたデータと所定の対応関係を有する対応データを生成する対応データ生成部と、前記対応データ生成部で生成された対応データを当該操作表示装置に送信する送信部と、を備えたことを特徴とする応答処理装置。
【００１５】
上記（３）の応答処理装置によれば、自己に対応する操作表示装置から受けたデータに対してこのデータと所定の対応関係にある対応データを生成する処理を自己の側で分担する如く賄って、この対応データを操作表示装置側に回送するため、このような分担処理の便宜が受けられる操作表示装置側では、自己の側での負担を増大させて大嵩な構成にすることを回避しつつ、実用上の機能を大幅に拡大させることができる。
【００１６】
（４）前記操作受付け部は、仮名入力キーとして機能し得る複数のキーを備えていることを特徴とする（２）に記載の操作表示装置。
上記（４）の操作表示装置によれば、上記（２）の操作表示装置による作用に加えて、仮名入力キーで入力した仮名を、自己に対応する応答処理装置側で仮名漢字変換処理を行って、結果としての漢字表記のデータを得るようなシステムを構築することができる。
【００１７】
（５）前記操作受付け部は、入力する文字の文字種を選択するための文字種選択手段を備えていることを特徴とする（２）に記載の操作表示装置。
上記（５）の操作表示装置によれば、上記（２）の操作表示装置による作用に加えて、種々の文字種による入力が可能となる。
【００１８】
（６）前記操作受付け部は、仮名漢字変換キーとして機能し得る特定のキーを備えていることを特徴とする（２）に記載の操作表示装置。
上記（６）の操作表示装置によれば、上記（２）の操作表示装置による作用に加えて、仮名漢字変換機能を効率良く用いることができる。
【００１９】
（７）前記表示部は、前記受信部で受信された当該対応データとしてのビットマップデータを表示するように構成されていることを特徴とする（２）に記載の操作表示装置。
上記（７）の操作表示装置によれば、上記（２）の操作表示装置による作用に加えて、自己の表示部で当該対応データとしてのビットマップデータによる種々の表示を得ることができる。
【００２０】
（８）前記送信部は、前記操作受付け部に配された操作キーへの操作に対応するパターンを表すパターンコードを送信し、前記受信部は該送信されたパターンコードに対応した当該対応データを受信し、前記表示部は該受信された当該対応データとしてのビットマップデータを表示するように構成されていることを特徴とする（２）に記載の操作表示装置。
上記（８）の操作表示装置によれば、上記（２）の操作表示装置による作用に加えて、操作受付け部に配された操作キーへの操作によって、種々の情報を扱うことができる。
【００２１】
（９）前記送信部は、前記操作受付け部に配された操作キーへの操作に対応するパターンを表すパターンコードを送信し、前記受信部は該送信されたパターンコードに対応した当該対応データを受信し、前記表示部は受信された当該対応データとしてのビットマップデータ及び属性データに対応する表示を行うように構成されていることを特徴とする（２）に記載の操作表示装置。
上記（９）の操作表示装置によれば、上記（２）の操作表示装置による作用に加えて、操作受付け部に配された操作キーへの操作によって、種々の情報を扱うことができ、更に属性データを利用して多様な表示を行うことができる。
【００２２】
（１０）前記対応データ生成部は、前記受信部で受信されたパターンコードをビットマップデータに変換することによって当該対応データを生成するように構成された機能部を備えていることを特徴とする（３）に記載の応答処理装置。
上記（１０）の応答処理装置によれば、上記（３）の応答処理装置による作用に加えて、受信されたパターンコードをビットマップデータに変換することができるため、自己に対応する装置側では表示のためのパターンに関する生成乃至変換の処理機能を備えずとも多様な表示を得ることができる。
【００２３】
（１１）前記対応データ生成部は、前記受信部で受信された文字パターンコードを該文字パターンコードに対応するビットマップデータに変換し且つ対応する属性を表す属性データを付加することによって当該対応データを生成するように構成された機能部を備えていることを特徴とする（３）に記載の応答処理装置。
上記（１１）の応答処理装置によれば、上記（３）の応答処理装置による作用に加えて、受信されたパターンコードをビットマップデータに変換することができるため、自己に対応する装置側では表示のためのパターンに関する生成乃至変換の処理機能を備えずとも多様な表示を得ることができ、更に、属性データを利用して一層多様な表示を得ることができる。
【００２４】
（１２）前記対応データ生成部は、前記受信部で対応する操作表示装置の送信部から発せられた仮名漢字変換を指示する仮名漢字変換指示コードが受信されたときには該当する属性データによって規定される文字列に関する仮名漢字変換を実行するように構成されていることを特徴とする（３）に記載の応答処理装置。
上記（１２）の応答処理装置によれば、上記（３）の応答処理装置による作用に加えて、自己に対応する操作表示装置側の仮名漢字変換処理に関する負担を軽減させることができる。
【００２５】
（１３）前記操作表示装置は、前記操作受付け部に対する操作に応答して前記応答処理装置としてのテレビジョン受像機を制御するための制御信号を生成して前記送信部から当該テレビジョン受像機に投射する制御部を更に備えたリモートコントローラとして構成され、
前記応答処理装置は、前記リモートコントローラの送信部から投射される制御信号を自己の受信部で受信し、該受信された制御信号に応答して動作する被制御部を備えたテレビジョン受像機として構成されていることを特徴とする（１）に記載の操作応答システム。
上記（１３）の操作応答システムによれば、（１）に記載の操作応答システムに該当するシステムにおいて特に、テレビジョン受像機とそのリモートコントローラとの組み合わせによって、リモートコントローラに多様な機能を持たせつつ、その機能を果たすための実質的な処理をテレビジョン受像機側で賄うようにして、リモートコントローラの構成を簡素化することができる。
【００２６】
（１４）自己の前記操作受付け部に対する操作に応答して前記応答処理装置としてのテレビジョン受像機を制御するための制御信号を生成して前記送信部から当該テレビジョン受像機に投射する制御部を更に備えたリモートコントローラとして構成されていることを特徴とする（２）に記載の操作表示装置。
上記（１４）の操作表示装置によれば、（２）の操作表示装置における作用に加えて、リモートコントローラとして多様な機能を保有しつつ、その機能を果たすための実質的な処理をテレビジョン受像機側で賄う構成であるため、リモートコントローラの構成を相対的に簡素化することができる。
【００２７】
（１５）前記操作表示装置としてのリモートコントローラの送信部から投射される制御信号を自己の受信部で受信し、該受信された制御信号に応答して動作する被制御部を備えたテレビジョン受像機として構成されていることを特徴とする（３）に記載の応答処理装置。
上記（１５）の応答処理装置によれば、（３）の応答処理装置における作用に加えて、自己に対応するリモートコントローラに多様な機能を保有しつつ、その機能を果たすための実質的な処理を当該テレビジョン受像機側で賄う構成であるため、リモートコントローラの構成を相対的に簡素化することができる。
【発明を実施するための最良の形態】
【００２８】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施形態としての操作応答システム（デジタルテレビジョン受像機システム）を表わすブロック図である。図１において、使用者による操作に応じたデータを送信し該送信に対応するデータを受信して表示する操作表示装置（デジタルテレビジョン受像機本体に対応するリモートコントローラ。以下、随時にリモコンという）１００と、この操作表示装置１００から送信されるデータを受信し該データと所定の対応関係を有する対応データを生成して操作表示装置１００に送信する応答処理装置（デジタルテレビジョン受像機本体。以下、随時にデジタルテレビという）２００と、を含んで操作応答システムが構成されている。
【００２９】
操作表示装置（リモコン１００）は、複数の操作ボタン等を含んで構成され使用者による操作を受け付ける操作受付け部１０１と、この操作受付け部１０１に対する操作に対応する送信データを生成する送信データ生成部としてのマイクロプロセッサ（以下、リモコン側マイクロプロセッサという）１０２、送信データ生成部（リモコン側マイクロプロセッサの該当する機能部）によって生成された送信データを外部に送信する送信部としての送信回路１０３、送信回路１０３から送信された送信データと所定の対応関係を有する対応データを受信可能な受信部としての受信回路１０４、この受信回路１０４で受信された対応データである、例えば漢字表記を表わすビットマップデータに基づく表示を行う表示部としての液晶等による表示装置１０５、を備えて構成される。
【００３０】
リモコン側マイクロプロセッサ１０２はまた、使用者がデジタルテレビ２００に対して行う受信チャンネルの切換え、音量調節、電源のオンオフ等々の操作をするために操作受付け部１０１に対して行う操作に対応する制御信号を生成して送信回路１０３から当該テレビジョン受像機（デジタルテレビ２００）に投射する制御部を構成しており、その他、このリモコン１００の各部を統括的に制御するように機能する。
【００３１】
一方、応答処理装置（デジタルテレビ２００）は、操作表示装置（リモコン１００）から送信された送信データを受信する受信部としての受信回路２０１、この受信回路２０１で受信されたデータと所定の対応関係を有する対応データを生成する対応データ生成部としてのマイクロプロセッサ（以下、本体側マイクロプロセッサという）２０２、対応データ生成部（本体側マイクロプロセッサの該当する機能部）で生成された対応データを操作表示装置としてのリモコン１００に送信する送信部としての送信回路２０３、を備えて構成されている。
【００３２】
また、デジタルテレビ２００には、放送電波を受信するアンテナ２０４、このアンテナ２０４で受信された信号にデジタルテレビとしての所定の信号変換処理を施す放送受信部２０５が設けられ、この放送受信部２０５の出力が本体側マイクロプロセッサ２０２に供給される。本体側マイクロプロセッサ２０２はこのように供給された信号に基づいて映像の表示に適合する信号を生成し、生成された信号によって液晶表示装置等として構成される表示装置２０６に映像が表示される。
【００３３】
尚、放送受信部２０５には本体側マイクロプロセッサ２０２からの制御指令が与えられ、放送受信部２０５はこの制御指令に応じて受信チャンネルの切換え動作等を実行するが、本体側マイクロプロセッサ２０２自体もリモコン側マイクロプロセッサ１０２で生成されリモコン側の送信回路１０３から送信されデジタルテレビ２００側の受信回路２０１で受信された制御信号に応答して動作する被制御部として機能する。
【００３４】
本体側マイクロプロセッサ２０２には、更に、所要に応じてアクセス可能なＲＡＭ２０７が接続されて映像その他のデータの記憶や既記憶データの読み出しが可能にされ、一方、後述する文字種の選択機能を賄うためのＲＯＭとしてのフォントＲＯＭ２０８及び仮名漢字変換処理機能を賄うためのＲＯＭとしての変換辞書ＲＯＭ２０９がそれらの保有するデータを利用可能に接続されている。
【００３５】
上述において、操作表示装置（リモコン１００）側における送信回路１０３、受信回路１０４、並びに、応答処理装置（デジタルテレビ２００）側における受信回路２０１、送信回路２０３によって行う通信はＩｒＤＡ準拠の赤外線データ通信方式によって行うように構成することは推奨されるが、発明の趣旨としてはこの方式に限定されるものではなく、Ｂｌｕｅｔｏｏｔｈ（登録商標）やＩＥＥＥ８０２．１１ｂ或いはＩＥＥＥ８０２．１１ｇ等を適用可能である。
【００３６】
図２は、図１におけるリモコン１００の外観図である。リモコン１００の筐体１１０の表面側上部（リモコン表面側の、信号光を投射する前端に近い側）には表示装置としてのＬＣＤ１０５が配され、このＬＣＤ１０５より後方側の領域が操作受け付け部１０１とされ、該操作受け付け部１０１には各列4個で3列のチャンネルボタン１〜１２が配されている。操作受付け部１０１の複数のチャンネルボタンは、後に図３を参照して説明するように仮名入力キーとしても機能し得るものである。
【００３７】
これらチャンネルボタン１〜１２の領域の後方側の隣接する領域にカーソルを移動するための円形の４方向ボタン１１１が配置され、この円形の４方向ボタン１１１の周囲に図示のように左上から周方向に略９０度の間隔で、ＣＬＲボタン１１２、文字ボタン１１３、選択ボタン１１４、及び、変換ボタン１１５が配されている。ＣＬＲボタン１１２は入力文字の消去操作を、文字ボタン１１３は1回押す毎に順次「かな入力モード」「英字入力モード」「数字入力モード」と入力対象文字種を循環的に切換え選択する文字種選択手段としての機能に係る操作を、選択ボタン１１４は入力文字を確定する確定操作を、変換ボタン１１５は漢字変換（仮名漢字変換）操作を夫々行うためのボタンである。
【００３８】
文字ボタン１１３の後方側に音量調整操作用のボリュームアップダウンボタン１１６が、選択ボタン１１４の後方側にチャンネル切換え操作用のチャンネルアップダウンボタン１１７が設けられている。ＬＣＤ１０５の表示領域内右側にアイコンが表示されていないデフォルトモードではチャンネル切換え操作が可能なモードにある。
一方、リモコン１００の筐体１１０の前端側には図１を参照して説明した送信回路１０３の赤外光発光素子の光投射窓及び受信回路１０４の赤外光受光素子の受光窓が一体になった窓部１０８が形成されている。
【００３９】
図３は、図１及び図２を参照して説明した本発明の実施の形態の動作について説明する図である。図３において、紙面右側の列は操作表示装置としてのリモコン１００に係る操作と表示の状況を表わし、紙面左側の列は応答処理装置としてのデジタルテレビ２００に係るデータの送受信と処理の状況を表わしている。また、中央の列はリモコン１００とデジタルテレビ２００間での送信操作を表わしている。
【００４０】
以下、図３を参照してここでは日本語テキスト“赤い鳥”を入力サンプルとして説明する。先ず、図２のリモコン１００の文字ボタン１１３を一度押し「かな入力モード」を選択するとリモコン１００のリモコン側マイクロプロセッサ１０２はこの選択を認識する（Ｓ１）。するとリモコン１００のＬＣＤ１０５右側には“かな”アイコンが表示される。この状態でチャンネルボタン１を押すとリモコン側マイクロプロセッサ１０２は“あ”が入力されたと判断し（Ｓ２）、“あ”を表す文字コード（パターンコード）を送信回路１０３より本体側へ送信する（Ｓ３）。
【００４１】
デジタルテレビ２００側は“あ”を表す文字コードを受信、本体側マイクロプロセッサ２０２は“あ”を表す文字コードから“あ”のビットマップをフォントＲＯＭ２０８から検索しリモコン１００へ送信する。またデジタルテレビ２００側は文字属性として表示位置０及び反転表示フラグを同時に送信する（Ｓ４）。リモコン１００は“あ”のビットマップ及び文字属性を受信すると、リモコン側マイクロプロセッサ１０２はＬＣＤ１０５の表示位置０に“あ”を反転表示する（Ｓ５）。
【００４２】
次いで、リモコン１００の操作受け付け部１０１のチャンネルボタン２を押すとリモコン側マイクロプロセッサ１０２は“か”が入力されたと判断し（Ｓ６）、“か”を表す文字コードを送信回路１０３よりデジタルテレビ２００側へ送信する（Ｓ７）。デジタルテレビ２００側は“か”を表す文字コードを受信、本体側マイクロプロセッサ２０２は“か”を表す文字コードから“か”のビットマップをフォントＲＯＭ２０８から検索しリモコン１００へ送信する。またこれと共に文字属性として表示位置１及び反転表示フラグを同時に送信する（Ｓ８）。
【００４３】
リモコン１００は“か”のビットマップ及び文字属性を受信すると、リモコン側マイクロプロセッサ１０２はＬＣＤ１０５の表示位置１に“か” を反転表示する（Ｓ９）。次にリモコン１００の操作受け付け部１０１のチャンネルボタン１を押すとリモコン側マイクロプロセッサ１０２は“あ”が入力されたと判断し“あ” を表す文字コードを送信回路１０３よりデジタルテレビ２００側へ送信する。
【００４４】
デジタルテレビ２００側は“あ”を表す文字コードを受信、本体側マイクロプロセッサ２０２は“あ”を表す文字コードから“あ”のビットマップをフォントＲＯＭ２０８から検索しリモコン１００へ送信する。これと共に文字属性として表示位置２及び反転表示フラグも同時に送信する。リモコン１００の操作受け付け部１０１のチャンネルボタン１をもう一度押すとリモコン側マイクロプロセッサ１０２は同様に“あ”が入力されたと判断し（Ｓ１０）、“あ” を表す文字コードを送信回路１０３よりデジタルテレビ２００側へ送信する（Ｓ１１）。
【００４５】
デジタルテレビ２００側は二度“あ”を表す文字コードを受信したことを認識し入力文字が“い”であると判断、本体側マイクロプロセッサ２０２は“い”を表す文字コードから“い”のビットマップをフォントＲＯＭ２０８から検索しリモコン１００へ送信する。これと共に本体側マイクロプロセッサ２０２は文字属性として表示位置２及び反転表示フラグを同時に送信する（Ｓ１２）。
【００４６】
リモコン１００は“い”のビットマップ及び文字属性を受信すると、リモコン側マイクロプロセッサ１０２はＬＣＤ１０５の表示位置２に“い”を反転表示する（Ｓ１３）。ここでリモコン１００の操作受け付け部１０１の変換ボタン１１５を押すと、リモコン側マイクロプロセッサ１０２は変換ボタンが入力されたと判断し（Ｓ１４）、変換処理を指令するコードを送信回路１０３よりデジタルテレビ２００側へ送信する（Ｓ１５）。
【００４７】
デジタルテレビ２００側は変換処理を指令するコードを受信、本体側マイクロプロセッサ２０２は変換処理を指令するコードを受けると“あかい”に対応する単語を変換辞書ＲＯＭ２０９から検索、第一候補の“赤い”のビットマップをフォントＲＯＭ２０８から検索しリモコン１００へ送信する。また、これと共に文字属性として表示位置０及び反転表示フラグも同時に送信する（Ｓ１６）。
【００４８】
リモコン１００は“赤い”のビットマップ及び文字属性を受信するとリモコン側マイクロプロセッサ１０２はＬＣＤ１０５の表示位置０に“赤い”の反転を表示する（Ｓ１７）。ここでリモコンの４方向ボタン１１１の上下を押すと“あかい”の第二候補“紅い”、第三候補“赤井”が順次転送表示されユーザーは所望の単語を選択できる。
リモコン１００の選択ボタン１１４を押すと、リモコン側マイクロプロセッサ１０２は選択ボタンが入力されたと判断し（Ｓ１８）、選択処理を指令するコードを送信回路１０３よりデジタルテレビ２００側へ送信する（Ｓ１９）。デジタルテレビ２００側は選択処理を指令するコードを受信、本体側マイクロプロセッサ２０２は“赤い”のビットマップをフォントＲＯＭ２０８から検索しリモコン１００へ送信する。これと共に本体側マイクロプロセッサ２０２は文字属性として表示位置０及び通常表示フラグを同時に送信する（Ｓ２０）。
【００４９】
リモコン１００は“赤い”のビットマップ及び文字属性を受信すると、リモコン側マイクロプロセッサ１０２はＬＣＤ１０５の表示位置０に“赤い”を通常表示する（Ｓ２１）。次いで、上掲のステップＳ１０〜ステップ１３について同一のチャンネルボタンを複数回続けて押す操作に関して上述したところと同様に、リモコン１００の操作受け付け部１０１のチャンネルボタン４を５回続けて押すとリモコン側マイクロプロセッサ１０２はこの毎回の操作を認識して（Ｓ２２）、“た”を表す文字コードを送信回路１０３よりデジタルテレビ２００側へ５回送信する（Ｓ２３）。
【００５０】
デジタルテレビ２００側は“た”を表す文字コードを５回受信することによって、本体側マイクロプロセッサ２０２はチャンネルボタン４の押された回数に対応して逐次“た” “ち” “つ” “て” “と”の如く対応する文字の認識を更新し、最終的に“と”を表す文字コードから “と”のビットマップをフォントＲＯＭ２０８から検索しリモコン１００へ送信する。またこれと共に文字属性として表示位置２及び反転表示フラグを同時に送信する（Ｓ２４）。
【００５１】
リモコン１００は“と”のビットマップ及び文字属性を受信すると、リモコン側マイクロプロセッサ１０２はＬＣＤ１０５の表示位置２に“と” を反転表示する（Ｓ２５）。更に、上述同様に、リモコン１００の操作受け付け部１０１の同一のチャンネルボタン９ボタンを連続して２回押すことによりリモコン側マイクロプロセッサ１０２でこれが認識され（Ｓ２６）、デジタルテレビ２００側に送信され（Ｓ２７）、 逐次“ら” “り”と解読されて、本体側マイクロプロセッサ２０２は、結果的に“り” のビットマップをフォントＲＯＭ２０８から検索しリモコンへ送信する。これと共に文字属性として表示位置３及び反転表示フラグも同時に送信する（Ｓ２８）。
【００５２】
リモコン１００は“り”のビットマップ及び文字属性を受信すると、リモコン側マイクロプロセッサ１０２はＬＣＤ１０５の表示位置３に“り” を反転表示する（Ｓ２９）。ここでステップＳ１４について上述したところと同様に、リモコン１００の操作受け付け部１０１の変換ボタン１１５を押すと、リモコン側マイクロプロセッサ１０２は変換ボタンが入力されたと判断し（Ｓ３０）、変換処理を指令するコードを送信回路１０３よりデジタルテレビ２００側へ送信する（Ｓ３１）。
【００５３】
デジタルテレビ２００側は変換処理を指令するコードを受信、本体側マイクロプロセッサ２０２は変換処理を指令するコードを受けると“とり”に対応する単語を変換辞書ＲＯＭ２０９から検索、第一候補の“鳥”のビットマップをフォントＲＯＭ２０８から検索しリモコン１００へ送信する。また、これと共に文字属性として表示位置２及び反転表示フラグも同時に送信する（Ｓ３２）。リモコン１００は“鳥”のビットマップ及び文字属性を受信するとリモコン側マイクロプロセッサ１０２はＬＣＤ１０５の表示位置２に“鳥” を反転表示する（Ｓ３３）。
【００５４】
ここで、リモコン１００の選択ボタン１１４を押すと、リモコン側マイクロプロセッサ１０２は選択ボタンが入力されたと判断し（Ｓ３４）、選択処理を指令するコードを送信回路１０３よりデジタルテレビ２００側へ送信する（Ｓ３５）。デジタルテレビ２００側は選択処理を指令するコードを受信、本体側マイクロプロセッサ２０２は“鳥”のビットマップをフォントＲＯＭ２０８から検索しリモコン１００へ送信する。これと共に本体側マイクロプロセッサ２０２は文字属性として表示位置２及び通常表示フラグを同時に送信する（Ｓ３６）。
【００５５】
リモコン１００は“鳥”のビットマップ及び文字属性を受信すると、リモコン側マイクロプロセッサ１０２はＬＣＤ１０５の表示位置２に“鳥”を通常表示する（Ｓ３７）。ここで、リモコン１００の選択ボタン１１４を押すと、リモコン側マイクロプロセッサ１０２は選択ボタンが入力されたと判断し（Ｓ３８）、選択処理を指令するコードを送信回路１０３よりデジタルテレビ２００側へ送信する（Ｓ３９）。ステップＳ３９で送信された信号を受けたデジタルテレビ２００側では本体側マイクロプロセッサ２０２の機能によって“赤い鳥”の表示を表示装置２０６に映出する（Ｓ４０）。
【００５６】
以上、ステップＳ４０に到る過程で本体側マイクロプロセッサ２０２で認識された“赤い鳥”の表記に係るデータは、適宜、ＲＡＭ２０７に格納され、所要に応じてこのデータ読み出すことによって、「あかい」「とり」なる仮名入力が所望の漢字表記に変換された所望の字体の表記形式でデジタルテレビ２００側の表示装置２０６に映出され得ることになる。
【００５７】
上述した操作表示装置としてのリモコン１００側での「あかい」「とり」なる仮名入力の漢字表記への変換過程で、リモコン１００のユーザは、専ら自らの手元において操作しているリモコン１００側の表示装置１０５を見ながらこの操作を行うことができ、デジタルテレビ２００側の画面（表示装置２０６）へと逐一視線を振りながら入力操作と変換処理の過程を確認しなくてはならないといった煩雑さからは完全に開放される。
【００５８】
即ち、この操作表示装置としてのリモコン１００は、見掛け上は、自己の内部に仮名入力を所望の漢字表記に変換する機能を備えた装置の如く機能することができ、その一方では、この機能を充足するだけの構成を自己の内部には保有しない。即ち、リモコン１００の操作受付け部１０１からの操作によって入力したデータ（デジタルテレビ２００側に送信する送信データ）と所定の対応関係を有する対応データ（漢字表記）を生成する処理を、現実には応答処理装置としてのデジタルテレビ２００側で賄うようにして、リモコン１００側では、文字やデータの入力操作を行うことが可能な操作表示装置として多様な機能を保有しつつ、相応に構成が大嵩になってしまうことを回避して、操作表示装置（リモコン）側のコストが低減される。
【００５９】
更に、デジタルテレビ２００側で受信されたパターンコードをビットマップデータに変換することができるため、対応する装置としてのリモコン側では表示のためのパターンに関する生成乃至変換の処理機能を備えずとも多様な表示を得ることができ、この場合、文字属性（表示位置や反転表示か通常表示かの区分等）等の属性データを利用して一層多様な表示を得ることができる。
【００６０】
また、図３を参照して説明したところでは、扱うビットマップデータがキャラクタービットマップデータである場合に関するものであったが、本発明はこのような例に限定されるものではなく、アイコンなどのビットマップイメージをも扱うように構成することもできる。このように構成すればさらに高度なヒューマンインターフェイスシステムを構築できる。
【００６１】
例えば（リモコン）側にマウスのようなポインターを持ち、 (デジタルテレビ本体）側からポインターアイコンを表示位置情報を付帯して送信すれば仮想的なGUI環境が安価なリモコン上で実現可能である。
或いはまた、リモコン（操作表示装置）を用いてその操作受付け部に対する簡単な操作で放送番組表のようなメニューを要求すると、対応するデジタルテレビ（応答処理装置）側で取得した情報メニュー（放送番組表等）が手元のリモコンの表示装置に例えばテーブルやマップ形式で表示されるように構成すれば、ユーザは恰も手元のリモコンのみを用いてその表示から細目のメニュー内容確認と選択操作を行って所望のサービス乃至コンテンツを的確に選択することができるようになるなど多岐に亘って種々の利便性が提供され得る。
【図面の簡単な説明】
【００６２】
【図１】本発明の実施形態としての操作応答システム（デジタルテレビジョン受像機システム）を表わすブロック図である。
【図２】図１におけるリモコン１００の外観図である。
【図３】図１及び図２の本発明の実施の形態の動作について説明する図である。
【符号の説明】
【００６３】
１００…リモコン  １０１…操作受付け部  １０２…リモコン側マイクロプロセッサ  １０３…送信回路  １０４…受信回路  １０５…表示装置  １０８…窓部  １１０…筐体  １１１…４方向ボタン  １１２…ＣＬＲボタン  １１３…文字ボタン  １１４…選択ボタン  １１５…変換ボタン  １１６…ボリュームアップダウンボタン  １１７…チャンネルアップダウンボタン  ２００…デジタルテレビ  ２０１…受信回路  ２０２…マイクロプロセッサ  ２０３…送信回路  ２０４…アンテナ  ２０５…放送受信部  ２０６…表示装置  ２０７…ＲＡＭ  ２０８…フォントＲＯＭ  ２０９…変換辞書ＲＯＭ
【図１】
2006197066.tif 000003
【図２】
2006197066.tif 000004
【図３】
2006197066.tif 000005